(57)【要約】【課題】携帯性が良く、容易に組み立てることを可能とする。【解決手段】開口４１を有する袋４とともに簡易容器１として用いられる簡易容器用シート２である。この簡易容器用シート２には、簡易容器用シート２の周縁に至らない互いに離間した第一切込線１１ａ及び第二切込線１１ｂが形成されている。簡易容器１を作成する際は、第一切込線１１ａ及び第二切込線１１ｂがコ字状になるように簡易容器用シート２を折り曲げた状態として、簡易容器用シート２の第一切込線１１ａ及び第二切込線１１ｂで挟まれた部分が袋４の中に入るように袋４の開口４１を第一切込線１１ａ及び第二切込線１１ｂに挿入する。【選択図】図６
2020138800.tif 000002
【特許請求の範囲】
【請求項１】
開口を有する袋とともに簡易容器として用いられる簡易容器用シートであって、
前記簡易容器用シートの周縁に至らない一対の互いに離間した切込線が形成されている、
簡易容器用シート。
【請求項２】
前記一対の切込線は、互いに平行に形成されている、
請求項１に記載の簡易容器用シート。
【請求項３】
前記簡易容器用シートは、矩形に形成されており、
前記一対の切込線は、前記簡易容器用シートの一対の対向する辺と平行に形成されている、
請求項２に記載の簡易容器用シート。
【請求項４】
前記一対の切込線と交差する一対の互いに離間した底辺用折目線で折り返されている、
請求項１〜３の何れか一項に記載の簡易容器用シート。
【請求項５】
前記一対の底辺用折目線の間に位置する折込用折目線で、前記一対の底辺用折目線とは逆に折り返されている、
請求項４に記載の簡易容器用シート。
【請求項６】
前記一対の切込線の延在方向における前記一対の底辺用折目線の外側において、前記一対の切込線に対して交差する方向に延びる一対の上辺用折目線で、前記一対の底辺用折目線とは逆に折り返されている、
請求項４又は５に記載の簡易容器用シート。
【請求項７】
前記一対の切込線の両端は、前記一対の上辺用折目線上に位置している、
請求項６に記載の簡易容器用シート。
【請求項８】
前記一対の切込線のそれぞれは、間欠的に切り込まれたミシン線である、
請求項１〜７の何れか一項に記載の簡易容器用シート。
【請求項９】
請求項１〜８の何れか一項に記載の簡易容器用シートと、
開口を有する袋と、を備える、
簡易容器セット。
【請求項１０】
前記簡易容器用シートは、前記一対の切込線と交差する一対の互いに離間した底辺用折目線で折り返されており、
前記簡易容器用シートの、前記一対の切込線と前記一対の底辺用折目線とに囲まれた部分を、内側底面部とした場合に、
前記袋の前記開口の周長は、前記内側底面部の周長の９０％以上１３０％以下の範囲である、
請求項９に記載の簡易容器セット。
【請求項１１】
請求項１〜８の何れか一項に記載の簡易容器用シートからなる支持体と、
開口を有する袋と、を備え、
前記支持体は、前記一対の切込線がコ字状になるように折り曲げられているとともに、前記一対の切込線に挟まれた内側部と、前記一対の切込線の外側に位置する外側部と、を有し、
前記内側部が前記袋の中に入るように、前記袋が前記一対の切込線に挿入されている、
簡易容器。
【発明の詳細な説明】
【技術分野】
【０００１】
本発明は、携帯トイレや携帯容器等に用いられる簡易容器用シート、簡易容器セット、及び簡易容器に関する。
【背景技術】
【０００２】
地震等の災害発生時においては、トイレは切実な問題である。地震等の災害発生時に備えて、各地に避難所や帰宅困難者支援ステーション等が設けられている。しかしながら、避難所等の既設トイレの数は、大規模災害に予測される被災者の数に対して絶対的に不足しており、避難所等に仮設トイレが設置されるまでにも、数日から数週間を要することがある。しかも、自宅や公共の場等においても、停電、断水、給排水管の損傷等の理由により、水洗トイレを使用することができない。このため、トイレの無い場所でも排泄できるように、簡易トイレの備蓄や携帯が望まれている。
【０００３】
このような簡易トイレとしては、例えば、特許文献１や特許文献２に記載されたものがある。特許文献１に記載された簡易トイレは、袋体の開口部を特殊な形状とするとともに、袋体の内側に排泄物の案内壁を設けたものである。特許文献２に記載された簡易トイレは、折りたたみ可能な枠体を広げて、枠体の底の四隅を補強部材で保持及び補強し、枠体に袋を被せて、固定部材で袋を枠体に固定するものである。
【先行技術文献】
【特許文献】
【０００４】
【特許文献１】実開平０６−００５９８７号公報
【特許文献２】特開２００６−１３０７２３号公報
【発明の概要】
【発明が解決しようとする課題】
【０００５】
しかしながら、特許文献１に記載された簡易トイレは、自立するものではなく、手に持つことを前提としたものである。このため、排泄時の使用が難しく、また、特に女性にとっては使用をためらうものである。この点、特許文献２に記載された簡易トイレは、自立するため、このような問題を解決することができる。しかしながら、部品点数が多く、また、補強部材や固定部材が嵩張るため、携帯性が悪く、また、組み立て性が悪いという問題がある。なお、これらの簡易トイレを、物を収容する簡易容器として用いた場合も、同様の問題が生じる。
【０００６】
本発明は、携帯性が良く、容易に組み立てることができる簡易容器用シート、簡易容器セット、及び簡易容器を提供することを目的とする。
【課題を解決するための手段】
【０００７】
本発明に係る簡易容器用シートは、開口を有する袋とともに簡易容器として用いられる簡易容器用シートであって、簡易容器用シートの周縁に至らない一対の互いに離間した切込線が形成されている。
【０００８】
この簡易容器用シートでは、簡易容器用シートの周縁に至らない一対の互いに離間した切込線が形成されている。このため、簡易容器用シートを一対の切込線がコ字状になるように折り曲げられた状態として、一対の切込線で挟まれた部分が袋の中に入るように袋の開口を一対の切込線に挿入することができる。
【０００９】
このように袋の開口を一対の切込線に挿入すると、袋は、一対の切込線に挟み込まれることで、一対の切込線に挿入された状態で保持される。ここで、一対の切込線がコ字状になるように折り曲げられた簡易容器用シートは、その両側面が互いに離れるように開こうとしたり、互いに近づくように閉じようとしたりする。しかしながら、袋は、一対の切込線に挿入されることで、簡易容器用シートとともに簡易容器の側面を形成する。これにより、簡易容器用シートの両側面は、袋に支持されることで、開いたり閉じたりするのが抑制される。更に、一対の切込線の外側部分は、袋の外に配置されるが、この外側部分は、適度なバネ又は錘となるとともに、袋の外から簡易容器用シートの両側面を支持するため、簡易容器用シートの両側面が閉じたり開いたりするのが抑制される。これより、自立した簡易容器を作成することができる。このため、例えば、この簡易容器を簡易トイレとして利用する場合に、自立しないものと比べて、排泄時の使用が容易になり、また、女性にとっても使用のためらいが緩和される。
【００１０】
また、袋の開口を一対の切込線に挿入すると、簡易容器用シートの一対の切込線の外側部分が、袋から飛び出した状態となるが、この外側部分は、折り曲げることで袋の開口に被せることができる。このため、例えば、この簡易容器を簡易トイレとして利用する場合に、足が袋の開口に触れることによる不快感を緩和することができる。
【００１１】
また、簡易容器の使用が済めば、簡易容器用シートを袋の中に入れて袋を閉じることで、簡易容器の内容物を袋に密封することができる。このため、例えば、簡易容器の内容物が排泄物等の臭いのきついものであっても、臭いが漏れ出すのを抑制することができる。
【００１２】
しかも、少なくとも簡易容器用シートと袋があれば簡易容器を作成することができる。そして、簡易容器用シートは、折り畳むことができるとともに、折り畳んでも嵩張らない。このため、携帯性が極めて良い。
【００１３】
上記の簡易容器用シートにおいて、一対の切込線は、互いに平行に形成されていてもよい。この簡易容器用シートでは、一対の切込線が互いに平行に形成されているため、一対の切込線がコ字状になるように折り曲げやすくなる。また、袋の開口を一対の切込線に挿入した際に、簡易容器の内側形状を矩形にすることができる。このため、一対の切込線が互いに平行に形成されていない場合に比べて、容易に組み立てることができるとともに、効率的に簡易容器を使用することができる。
【００１４】
上記の簡易容器用シートにおいて、簡易容器用シートは、矩形に形成されており、一対の切込線は、簡易容器用シートの一対の対向する辺と平行に形成されていてもよい。この簡易容器用シートでは、一対の切込線が矩形に形成された簡易容器用シートの一対の対向する辺と平行に形成されているため、簡易容器を略直方体の箱型に形成することができる。これにより、簡易容器の使い勝手を向上することができる。
【００１５】
上記の簡易容器用シートにおいて、一対の切込線と交差する一対の互いに離間した底辺用折目線で折り返されていてもよい。この簡易容器用シートでは、一対の切込線と交差する一対の互いに離間した底辺用折目線で折り返されているため、簡易容器用シートを開くことで、容易に、一対の切込線がコ字状になるように簡易容器用シートを折り曲げた状態とすることができる。なお、一対の底辺用折目線が一対の切込線と直交していれば、簡易容器用シートを開くことで、簡易容器を略直方体の箱型に形成することができる。
【００１６】
上記の簡易容器用シートにおいて、一対の底辺用折目線の間に位置する折込用折目線で、一対の底辺用折目線とは逆に折り返されていてもよい。この簡易容器用シートでは、一対の底辺用折目線の間に位置する折込用折目線で、一対の底辺用折目線とは逆に折り返されているため、簡易容器用シートが蛇腹状に折り畳まれた状態となる。これにより、簡易容器用シートが更に小さくなるため、携帯性が更に向上する。しかも、簡易容器用シートを開くことで、容易に、一対の切込線をコ字状にすることができる。
【００１７】
上記の簡易容器用シートにおいて、一対の切込線の延在方向における一対の底辺用折目線の外側において、一対の切込線に対して交差する方向に延びる一対の上辺用折目線で、一対の底辺用折目線とは逆に折り返されていてもよい。この簡易容器用シートでは、一対の切込線の延在方向における一対の底辺用折目線の外側において、一対の切込線に対して交差する方向に延びる一対の上辺用折目線で、一対の底辺用折目線とは逆に折り返されている。このため、簡易容器を作成する際に、袋から飛び出す部分を、容易に袋の開口に被せることができる。
【００１８】
上記の簡易容器用シートにおいて、一対の切込線の両端は、一対の上辺用折目線上に位置していてもよい。この簡易容器用シートでは、一対の切込線の両端が一対の上辺用折目線上に位置しているため、簡易容器を作成する際に、袋の開口を一対の切込線に挿入することで、袋を、簡易容器の上端又は上端付近まで上げることができる。これにより、簡易容器の容量を向上できる。
【００１９】
上記の簡易容器用シートにおいて、一対の切込線のそれぞれは、間欠的に切り込まれたミシン線であってもよい。この簡易容器用シートでは、一対の切込線のそれぞれが間欠的に切り込まれたミシン線であるため、携帯する際に、一対の切込線を基点として簡易容器用シートが破断するのを抑制することができる。なお、簡易容器を作成する際は、ミシン目を破断することで、袋の開口を一対の切込線に挿入することができる。
【００２０】
本発明に係る簡易容器セットは、上記の何れかの簡易容器用シートと、開口を有する袋と、を備える。
【００２１】
この簡易容器セットでは、上記の何れかの簡易容器用シートと開口を有する袋とを備えるため、一対の切込線がコ字状になるように簡易容器用シートを折り曲げた状態として、一対の切込線で挟まれた部分が袋の中に入るように袋の開口を一対の切込線に挿入することで、自立した簡易容器を作成することができる。更に、簡易容器用シート及び袋は、折り畳むことができるとともに、折り畳んでも嵩張らないため、携帯性が極めて良い。しかも、簡易容器の使用が済めば、簡易容器用シートの全ての部分を袋の中に入れて袋を閉じれば、簡易容器及び簡易容器の内容物を袋に密封することができる。このため、例えば、簡易容器の内容物が排泄物等の臭いのきついものであっても、臭いが漏れ出すのを抑制することができる。
【００２２】
上記の簡易容器用シートにおいて、簡易容器用シートは、一対の切込線と交差する一対の互いに離間した底辺用折目線で折り返されており、簡易容器用シートの、一対の切込線と一対の底辺用折目線とに囲まれた部分を、内側底面部とした場合に、袋の開口の周長は、内側底面部の周長の９０％以上１３０％以下の範囲であってもよい。この簡易容器セットでは、袋の開口の周長が内側底面部の周長の９０％以上１３０％以下の範囲であるため、袋の開口を一対の切込線に挿入した際に、袋の開口がダブつくのを抑制して、簡易容器の形状保持性を向上させることができる。
【００２３】
本発明に係る簡易容器は、上記の何れかの簡易容器用シートからなる支持体と、開口を有する袋と、を備え、支持体は、一対の切込線がコ字状になるように折り曲げられているとともに、一対の切込線に挟まれた内側部と、一対の切込線の外側に位置する外側部と、を有し、内側部が袋の中に入るように、袋が一対の切込線に挿入されている。
【００２４】
この簡易容器では、上記の何れかの簡易容器用シートからなる支持体と開口を有する袋とを備え、支持体の一対の切込線に挟まれた内側部が袋に入るように、袋が支持体の一対の切込線に挿入されているため、自立することができる。しかも、簡易容器の使用が済めば、簡易容器用シートの全ての部分を袋の中に入れて袋を閉じれば、簡易容器及び簡易容器の内容物を袋に密封することができる。このため、例えば、簡易容器の内容物が排泄物等の臭いのきついものであっても、臭いが漏れ出すのを抑制することができる。なお、簡易容器１が簡易トイレである場合は、使用前又は使用後に凝固剤及び消臭剤を投入することで、尿等の水分を凝固させることができるとともに、臭いが漏れ出すのを更に抑制することができる。
【発明の効果】
【００２５】
本発明によれば、携帯性が良く、容易に組み立てることができる。
【図面の簡単な説明】
【００２６】
【図１】実施形態に係る簡易容器の斜視図である。
【図２】実施形態に係る簡易容器の平面図である。
【図３】実施形態に係る簡易容器の正面図である。
【図４】実施形態に係る簡易容器の側面図である。
【図５】図１に示すＶ−Ｖ線における断面図である。
【図６】簡易容器用シートを展開した状態を示す平面図である。
【図７】簡易容器用シートを折り畳んだ状態を示す斜視図である。
【図８】簡易容器用シートを更に折り畳んだ状態を示す斜視図である。
【図９】図６又は図７に示す簡易容器用シートを開いた状態を示す斜視図である。
【図１０】（ａ）は袋の開口を少し開いた状態を示す平面図であり、（ｂ）は袋を広げた状態を示す斜視図である。
【図１１】他の例の袋の平面図である。
【図１２】簡易容器の作成方法を説明するための図であり、（ａ）は平面図、（ｂ）は（ａ）に示すＸＩＩｂ−ＸＩＩｂ線における断面図である。
【図１３】簡易容器の作成方法を説明するための図であり、（ａ）は平面図、（ｂ）は（ａ）に示すＸＩＩＩｂ−ＸＩＩＩｂ線における断面図である。
【図１４】簡易容器の作成方法を説明するための図であり、（ａ）は平面図、（ｂ）は（ａ）に示すＸＩＶｂ−ＸＩＶｂ線における断面図である。
【図１５】（ａ）〜（ｃ）は、変形例に係る簡易容器用シートの平面図である。
【図１６】（ａ）〜（ｃ）は、変形例に係る簡易容器用シートの平面図である。
【図１７】変形例の簡易容器用シートを展開した状態を示す平面図である。
【図１８】変形例の簡易容器用シートを折り畳んだ状態を示す斜視図である。
【図１９】変形例の簡易容器用シートを更に折り畳んだ状態を示す斜視図である。
【図２０】図１８又は図１９に示す簡易容器用シートを開いた状態を示す斜視図である。
【発明を実施するための形態】
【００２７】
以下、図面を参照して、本発明に係る簡易容器用シート、簡易容器セット、及び簡易容器の好適な実施形態について詳細に説明する。本実施形態では、本発明の簡易容器として、簡易トイレを一例として説明する。ただし、本発明の簡易容器は、簡易トイレに限定されるものではなく、例えば、非常時や外出先等で使用するごみ箱や収納容器等の容器であってもよい。なお、図面中の同一又は相当部分には同一符号を付すこととする。
【００２８】
図１〜図５に示すように、簡易容器１は、簡易容器用シート２からなる支持体３と、開口を有する袋４と、を備える。
【００２９】
［簡易容器用シート］
図６〜図８に示すように、簡易容器用シート２は、一枚の矩形のシート状部材からなる。簡易容器用シート２は、容易に折り曲げることが可能で、折り畳んだ際に嵩張らないことが好ましい。また、簡易容器用シート２は、折り曲げた際に適度に形状を保持できる程度の腰（こわさ、剛度）を有することが好ましい。簡易容器用シート２としては、例えば、紙、樹脂シート等を用いることができる。簡易容器用シート２の厚さは、例えば、０．０１ｍｍ以上１ｍｍ以下である。
【００３０】
簡易容器用シート２は、簡易容器用シート２を保管、携帯等する際は、図７又は図８に示すように折り畳まれた折畳状態となっており、簡易容器１として使用する際は、図７又は図８に示す折畳状態から図９に示すように開かれた状態となる。
【００３１】
図６に示すように、展開された簡易容器用シート２は、一対の対向する辺２１ａ，２１ｂと、一対の対向する辺２２ａ，２２ｂと、を有する。一対の対向する辺２１ａ，２１ｂと一対の対向する辺２２ａ，２２ｂとは、互いに直交する方向に延びている。辺２１ａ，２１ｂの長さは、例えば、４０ｃｍ以上１００ｃｍ以下であり、辺２２ａ，２２ｂの長さは、例えば、２０ｃｍ以上４０ｃｍ以下である。なお、以下では、特に示す場合を除き、簡易容器用シート２は、展開された状態（図６の状態）のものとして説明する。
【００３２】
簡易容器用シート２には、第一切込線１１ａ及び第二切込線１１ｂと、第一上辺用罫線１２ａ及び第二上辺用罫線１２ｂと、第一底辺用罫線１３ａ及び第二底辺用罫線１３ｂと、折込用罫線１４と、折畳用罫線１５と、が形成されている。
【００３３】
［切込線］
第一切込線１１ａ及び第二切込線１１ｂは、簡易容器用シート２の周辺に至らない切込線である。切込線は、簡易容器用シート２が切断されてなる線であり、切断線等とも呼ばれる。第一切込線１１ａ及び第二切込線１１ｂは、全域にわたって簡易容器用シート２が切断されてなるものであってもよく、ミシン目のように間欠的に簡易容器用シート２が切断されてなるものであってもよい。後者の場合、第一切込線１１ａ及び第二切込線１１ｂでは、簡易容器用シート２が部分的に接続されている。第一切込線１１ａ及び第二切込線１１ｂは、直線状に延びていることが好ましいが、屈曲線状、波形線状等に延びていてもよい。
【００３４】
第一切込線１１ａ及び第二切込線１１ｂは、互いに平行に形成されている。また、第一切込線１１ａ及び第二切込線１１ｂは、簡易容器用シート２の一対の対向する辺２１ａ，２１ｂと平行に形成されている。なお、本実施形態において、平行とは、完全に平行である場合だけでなく、多少（例えば１０°以下程度）の誤差を含む意味である。
【００３５】
ここで、第一切込線１１ａ及び第二切込線１１ｂの延在方向を延在方向Ｘとし、第一切込線１１ａ及び第二切込線１１ｂの対向方向を対向方向Ｙとする。延在方向Ｘは、簡易容器用シート２の一対の対向する辺２１ａ，２１ｂと平行な方向であり、対向方向Ｙは、簡易容器用シート２の一対の対向する辺２２ａ，２２ｂと平行な方向である。また、延在方向Ｘにおける簡易容器用シート２の中心となる中心線を中心線ＸＣとし、対向方向Ｙにおける簡易容器用シート２の中心となる中心線を中心線ＹＣとする。
【００３６】
第一切込線１１ａと第二切込線１１ｂとは、延在方向Ｘにおいて同じ位置に形成されている。つまり、辺２２ａから第一切込線１１ａまでの距離と辺２２ａから第二切込線１１ｂまでの距離とが同じであり、辺２２ｂから第一切込線１１ａまでの距離と辺２２ｂから第二切込線１１ｂまでの距離とが同じである。なお、本実施形態において、同じ位置とは、完全に同じ位置である場合だけでなく、多少（例えば５ｍｍ以下程度）の誤差を含む意味である。
【００３７】
第一切込線１１ａ及び第二切込線１１ｂの辺２２ａ側の先端は、中心線ＸＣと辺２２ａとの中心位置よりも、辺２２ａ側に配置されている。第一切込線１１ａ及び第二切込線１１ｂの辺２２ｂ側の先端は、中心線ＸＣと辺２２ｂとの中心位置よりも、辺２２ｂ側に配置されている。第一切込線１１ａ及び第二切込線１１ｂの辺２２ａ側の先端と、第一切込線１１ａ及び第二切込線１１ｂの辺２２ｂ側の先端とは、例えば、中心線ＹＣに対して対称な位置に形成されている。つまり、延在方向Ｘにおいて、辺２２ａ（又は中心線ＸＣ）から第一切込線１１ａまでの距離と辺２２ｂ（又は中心線ＸＣ）から第二切込線１１ｂまでの距離とが同じである。
【００３８】
より具体的には、第一切込線１１ａ及び第二切込線１１ｂの辺２２ａ側の先端は、中心線ＸＣと辺２２ａとの中心位置よりも、辺２２ａ側に配置されており、第一切込線１１ａ及び第二切込線１１ｂの辺２２ｂ側の先端は、中心線ＸＣと辺２２ｂとの中心位置よりも、辺２２ｂ側に配置されている。この場合、辺２２ａから第一切込線１１ａ及び第二切込線１１ｂまでの距離、及び、辺２２ｂから第一切込線１１ａ及び第二切込線１１ｂまでの距離は、例えば、１ｃｍ以上１００ｃｍ以下とすることができる。
【００３９】
第一切込線１１ａは、中心線ＹＣよりも辺２１ａ側に形成されており、第二切込線１１ｂは、中心線ＹＣよりも辺２１ｂ側に形成されている。第一切込線１１ａと第二切込線１１ｂとは、例えば、中心線ＹＣに対して対称な位置に形成されている。つまり、対向方向Ｙにおいて、辺２１ａ（又は中心線ＹＣ）から第一切込線１１ａまでの距離と辺２１ｂ（又は中心線ＹＣ）から第二切込線１１ｂまでの距離とが同じである。
【００４０】
より具体的には、第一切込線１１ａは、中心線ＹＣと辺２１ａとの中心位置よりも、辺２１ａ側に配置されている。第二切込線１１ｂは、例えば、中心線ＹＣと辺２１ｂとの中心位置よりも、辺２１ｂ側に配置されている。この場合、辺２１ａから第一切込線１１ａまでの距離、及び、辺２１ｂから第二切込線１１ｂまでの距離は、例えば、１ｃｍ以上５ｃｍ以下とすることができる。
【００４１】
［上辺用罫線］
第一上辺用罫線１２ａ及び第二上辺用罫線１２ｂは、延在方向Ｘにおける第一底辺用罫線１３ａ及び第二底辺用罫線１３ｂの外側において、第一切込線１１ａ及び第二切込線１１ｂに対して交差する方向に延びる罫線である。罫線は、簡易容器用シート２を折り曲げやすくした線であって、弱め線、折目線等とも呼ばれる。罫線は、例えば、簡易容器用シート２を凹ましたり、簡易容器用シート２を一旦折り曲げたりして、折り曲げやすくした線（線状の領域）である。
【００４２】
より具体的には、第一上辺用罫線１２ａは、第一切込線１１ａ及び第二切込線１１ｂに対して直交する方向に延びて、第一切込線１１ａ及び第二切込線１１ｂの辺２２ａ側の先端を通っている。第二上辺用罫線１２ｂは、第一切込線１１ａ及び第二切込線１１ｂに対して直交する方向に延びて、第一切込線１１ａ及び第二切込線１１ｂの辺２２ｂ側の先端を通っている。このため、第一切込線１１ａ及び第二切込線１１ｂの辺２２ａ側の先端は、第一上辺用罫線１２ａ上に位置している。また、第一切込線１１ａ及び第二切込線１１ｂの辺２２ｂ側の先端は、第二上辺用罫線１２ｂ上に位置している。なお、本実施形態において、直交するとは、完全に直交している場合だけでなく、多少（例えば１０°以下程度）の誤差を含む意味である。
【００４３】
第一上辺用罫線１２ａ及び第二上辺用罫線１２ｂは、簡易容器用シート２を対向方向Ｙに横断している。つまり、第一上辺用罫線１２ａ及び第二上辺用罫線１２ｂは、辺２１ａから辺２１ｂまで延びている。
【００４４】
第一上辺用罫線１２ａと第二上辺用罫線１２ｂとは、中心線ＸＣに対して対称な位置に形成されている。つまり、延在方向Ｘにおいて、辺２２ａ（又は中心線ＸＣ）から第一切込線１１ａまでの距離と辺２２ｂ（又は中心線ＸＣ）から第二切込線１１ｂまでの距離とが同じである。
【００４５】
［底辺用罫線］
第一底辺用罫線１３ａ及び第二底辺用罫線１３ｂは、第一切込線１１ａ及び第二切込線１１ｂと交差する、互いに離間した罫線である。
【００４６】
より具体的には、第一底辺用罫線１３ａ及び第二底辺用罫線１３ｂは、延在方向Ｘにおける第一上辺用罫線１２ａ及び第二上辺用罫線１２ｂの外側に形成されている。そして、第一底辺用罫線１３ａ及び第二底辺用罫線１３ｂは、第一切込線１１ａ及び第二切込線１１ｂと直交している。このため、第一底辺用罫線１３ａ及び第二底辺用罫線１３ｂは、中心線ＸＣ、第一上辺用罫線１２ａ及び第二上辺用罫線１２ｂと平行になっている。
【００４７】
第一底辺用罫線１３ａ及び第二底辺用罫線１３ｂは、簡易容器用シート２を対向方向Ｙに横断している。つまり、第一底辺用罫線１３ａ及び第二底辺用罫線１３ｂは、辺２１ａから辺２１ｂまで延びている。
【００４８】
第一底辺用罫線１３ａと第二底辺用罫線１３ｂとは、中心線ＸＣに対して対称な位置に形成されている。つまり、対向方向Ｙにおいて、辺２２ａ（又は中心線ＸＣ）から第一底辺用罫線１３ａまでの距離と辺２２ｂ（又は中心線ＸＣ）から第二底辺用罫線１３ｂまでの距離とが同じである。
【００４９】
［折込用罫線］
折込用罫線１４は、第一底辺用罫線１３ａと第二底辺用罫線１３ｂとの間に形成された罫線である。より具体的には、折込用罫線１４は、中心線ＸＣ上に形成されている。そして、折込用罫線１４は、第一切込線１１ａ及び第二切込線１１ｂと直交しているとともに、第一底辺用罫線１３ａ及び第二底辺用罫線１３ｂと平行になっている。
【００５０】
［折畳用罫線］
折畳用罫線１５は、簡易容器用シート２を折り畳むための罫線である。折畳用罫線１５は、中心線ＹＣ上に形成されている。そして、折畳用罫線１５は、第一切込線１１ａ及び第二切込線１１ｂと平行になっているとともに、第一底辺用罫線１３ａ及び第二底辺用罫線１３ｂと直交している。
【００５１】
［簡易容器用シートの部位］
簡易容器用シート２は、第一端部２３ａ及び第二端部２３ｂと、内側部２４と、第一外側部２５ａ及び第二外側部２５ｂと、に分けられる。
【００５２】
第一端部２３ａは、第一上辺用罫線１２ａから辺２２ａまでの部分であり、第二端部２３ｂは、第二上辺用罫線１２ｂから辺２２ｂまでの部分である。内側部２４は、第一切込線１１ａ、第二切込線１１ｂ、第一上辺用罫線１２ａ及び第二上辺用罫線１２ｂに囲まれた部分である。第一外側部２５ａは、第一切込線１１ａ、辺２１ａ、第一上辺用罫線１２ａ及び第二上辺用罫線１２ｂに囲まれた部分であり、第二外側部２５ｂは、第二切込線１１ｂ、辺２１ｂ、第一上辺用罫線１２ａ及び第二上辺用罫線１２ｂに囲まれた部分である。
【００５３】
内側部２４は、更に、第一内側側面部２４ａと、第二内側側面部２４ｂと、内側底面部２４ｃと、に分けられる。第一内側側面部２４ａは、第一切込線１１ａ、第二切込線１１ｂ、第一上辺用罫線１２ａ及び第一底辺用罫線１３ａに囲まれた部分である。第二内側側面部２４ｂは、第一切込線１１ａ、第二切込線１１ｂ、第二上辺用罫線１２ｂ及び第二底辺用罫線１３ｂに囲まれた部分である。内側底面部２４ｃは、第一切込線１１ａ、第二切込線１１ｂ、第一底辺用罫線１３ａ及び第二底辺用罫線１３ｂに囲まれた部分である。
【００５４】
［簡易容器用シートの折り畳み及び展開］
簡易容器用シート２は、図７及び図８に示すように、折り畳むことができる。詳しく説明すると、図６に示す展開状態の簡易容器用シート２は、第一上辺用罫線１２ａ及び第二上辺用罫線１２ｂで山折りに折り曲げ、第一底辺用罫線１３ａ及び第二底辺用罫線１３ｂで谷折りに折り曲げ、折込用罫線１４で山折りに折り曲げることで、図７に示す折畳状態となる。
【００５５】
図７に示す折畳状態の簡易容器用シート２では、第一上辺用罫線１２ａが第一上辺用折目線３２ａとなって、第一内側側面部２４ａと第一端部２３ａとが第一上辺用折目線３２ａで折り返されている。また、第二上辺用罫線１２ｂが第二上辺用折目線３２ｂとなって、第二内側側面部２４ｂと第二端部２３ｂとが第一上辺用折目線３２ａで折り返されている。また、第一底辺用罫線１３ａが第一底辺用折目線３３ａとなって、第一内側側面部２４ａと内側底面部２４ｃとが第一底辺用折目線３３ａで折り返されている。また、第二底辺用罫線１３ｂが第二底辺用折目線３３ｂとなって、第二内側側面部２４ｂと内側底面部２４ｃとが第二底辺用折目線３３ｂで折り返されている。また、折込用罫線１４が折込用折目線３４となって、内側底面部２４ｃが折込用折目線３４で折り返されている。そして、折込用罫線１４、第一上辺用罫線１２ａ及び第二上辺用罫線１２ｂでは、第一底辺用折目線３３ａ及び第二底辺用折目線３３ｂと逆に折り返されている。
【００５６】
これにより、図７に示す折畳状態の簡易容器用シート２では、内側底面部２４ｃが二つ折りにされて内側底面部２４ｃ及び第一内側側面部２４ａに挟み込まれた状態で、内側底面部２４ｃと、第一内側側面部２４ａ及び第二内側側面部２４ｂと、第一端部２３ａ及び第二端部２３ｂと、が重ね合わされた状態となっている。
【００５７】
なお、延在方向Ｘにおいて、辺２２ａ、第一上辺用罫線１２ａ、第一底辺用罫線１３ａ、折込用罫線１４、第二底辺用罫線１３ｂ、第二上辺用罫線１２ｂ及び辺２２ｂが等間隔であれば、紙折り機等の機械によっても容易に簡易容器用シート２を折り畳むことができる。このため、図６に示す展開状態の簡易容器用シート２を図７に示す折畳状態にするための製造コストを低減することができる。なお、本実施形態において、等間隔とは、完全に等間隔である場合だけでなく、多少（例えば５ｍｍ以下程度）の誤差を含む意味である。
【００５８】
そして、図７に示す折畳状態の簡易容器用シート２は、折畳用罫線１５で折り曲げることで、図８に示す折畳状態となる。図８に示す折畳状態の簡易容器用シート２では、折畳用罫線１５が折畳用折目線３５となって、簡易容器用シート２が折畳用折目線３５で折り返されている。これにより、図８に示す折畳状態の簡易容器用シート２では、図７に示す折畳状態の簡易容器用シート２が、折畳用罫線１５によって二つ折りにされた状態となっている。
【００５９】
図７又は図８に示す折畳状態の簡易容器用シート２を広げると、図９に示す状態となる。図９に示す状態の簡易容器用シート２では、二つ折りにされていた内側底面部２４ｃが開かれて略平面状となっており、第一内側側面部２４ａ及び第二内側側面部２４ｂが内側底面部２４ｃから略直角に立ち上がっており、第一端部２３ａ及び第二端部２３ｂが第一内側側面部２４ａ及び第二内側側面部２４ｂから垂れ下がっている。第一内側側面部２４ａ及び第二内側側面部２４ｂは、内側底面部２４ｃに対して略直角に立ち上がっていることが好ましいが、内側底面部２４ｃに対して傾斜して立ち上がっていてもよい。また、簡易容器用シート２の各面部は、平面状になっていることが好ましいが、必ずしも平面状である必要はなく、屈曲していたり湾曲していたりしてもよい。なお、図１に示す簡易容器用シート２を各罫線に沿って折り曲げることによっても、簡易容器用シート２を図９に示す状態とすることができる。図９に示す状態の簡易容器用シート２は、簡易容器１の支持体３となる。なお、図１に示す簡易容器用シート２を各罫線に沿って折り曲げることによっても、簡易容器用シート２を図９に示す状態とすることができる。
【００６０】
［袋］
図１０に示すように、袋４は、開口４１を有しており、開口４１から物を入れることが可能となっている。袋４としては、例えば、図１０に示すような平袋を用いることで、低コスト化及び大量使用に有効であるが、図１１に示すように、底にマチを入れたマチ有り袋や、両側面にマチを入れた畳み込んだガゼット袋なども用いることができる。また、袋４は、断ち切りされた開口４１を結ぶことにより封止する平袋を用いることで、低コスト化及び大量使用に有効であるが、開口４１近傍に紐状部材を通して引き結びすることにより封止する巾着や、開口４１から延びる取っ手を結んで封止する取っ手付き袋や、片面に折り蓋をつけて両面シールにより封止する袋や、ファスナー機能により封止する袋なども用いることができる。
【００６１】
袋４は、支持体３に対応した大きさのものであることが好ましい。支持体３に対応した大きさとは、例えば、袋４の開口４１の周長が、簡易容器用シート２の内側底面部２４ｃの周長の９０％以上１３０％以下の範囲、９５％以上１２５％以下の範囲、または１００％以上１２０％以下の範囲となる大きさである。
【００６２】
また、袋４は、液体の通過（液体の漏れ）を抑制できるものであることが好ましく、気体の通過（気体の漏れ）を抑制できるものであることが更に好ましい。袋４の素材としては、例えば、ポリエチレン、ポリ塩化ビニル等を用いることができる。
【００６３】
［簡易容器セット］
簡易容器セットは、簡易容器１を作成するためのセットである。簡易容器セットは、上述した簡易容器用シート２と、上述した袋４と、を備える。簡易容器セットに含まれる簡易容器用シート２としては、例えば、図７又は図８に示す折畳状態の簡易容器用シート２が用いられる。また、簡易容器１を簡易トイレとして用いる場合、簡易容器セットは、更に、凝固剤、脱臭剤などを備えることが好ましい。また、簡易容器用シート２として、脱臭機能を備えたものを用いることが好ましい。そして、簡易容器セットは、一つの袋等に纏めて収容されている。
【００６４】
［簡易容器の作成方法］
次に、簡易容器セットを用いた簡易容器１の作成方法の一例を説明する。
【００６５】
まず、図１２に示すように、図７又は図８に示す折畳状態の簡易容器用シート２を袋４に入れる。袋４に入れた簡易容器用シート２が図８に示す折畳状態である場合は、袋４の中で簡易容器用シート２を図７に示す折畳状態にする。
【００６６】
次に、図１３に示すように、折畳状態の簡易容器用シート２を開いて袋４を押し広げ、支持体３を作成する。
【００６７】
次に、図１４に示すように、第一外側部２５ａ及び第二外側部２５ｂを袋４から出して、袋４の開口４１を第一切込線１１ａ及び第二切込線１１ｂに挿入する。そして、第一切込線１１ａ及び第二切込線１１ｂの上端又は上端付近まで、袋４を引き上げる。また、第一端部２３ａ及び第二端部２３ｂを袋４から出して、袋４の開口４１に被せる。なお、袋４が支持体３に対して大きすぎて袋４の開口４１がダブついている場合は、このダブついている部分を、第一端部２３ａ及び第二端部２３ｂと第一内側側面部２４ａ及び第二内側側面部２４ｂとの間に押し込む。
【００６８】
このように袋４を第一切込線１１ａ及び第二切込線１１ｂに挿入すると、袋４は、内側部２４と第一外側部２５ａ及び第二外側部２５ｂとに挟み込まれることで、第一切込線１１ａ及び第二切込線１１ｂに挿入された状態で保持される。
【００６９】
ここで、第一切込線１１ａ及び第二切込線１１ｂがコ字状になるように折り曲げられた支持体３（簡易容器用シート２）は、第一内側側面部２４ａ及び第二内側側面部２４ｂが互いに離れるように開こうとしたり、第一内側側面部２４ａ及び第二内側側面が互いに近づくように閉じようとしたりする。しかしながら、袋４は、第一切込線１１ａ及び第二切込線１１ｂに挿入されることで、第一内側側面部２４ａ及び第二内側側面部２４ｂとともに簡易容器１の側面を形成する。これにより、第一内側側面部２４ａ及び第二内側側面部２４ｂは、袋４に支持されることで、開いたり閉じたりするのが抑制される。更に、袋４の外に出された第一外側部２５ａ及び第二外側部２５ｂは、適度なバネ又は錘となるとともに、袋４の外から第一内側側面部２４ａ及び第二内側側面部２４ｂの上端を支持する。これにより、第一内側側面部２４ａ及び第二内側側面部２４ｂが開いたり閉じたりするのが抑制される。
【００７０】
以上で簡易容器１の作成が完了する。図１〜図５、図９及び図１４に示すように、簡易容器１では、支持体３は、第一切込線１１ａ及び第二切込線１１ｂがコ字状になるように第一底辺用折目線３３ａ及び第二底辺用折目線３３ｂで折り曲げられている。また、袋４は、内側部２４が袋４に入るとともに第一外側部２５ａ及び第二外側部２５ｂが袋４から出るように第一切込線１１ａ及び第二切込線１１ｂに挿入されている。また、支持体３は、第一上辺用折目線３２ａ及び第二上辺用折目線３２ｂで折り曲げられており、第一端部２３ａ及び第二端部２３ｂが袋４の開口４１に被せられている。
【００７１】
以上説明したように、本実施形態では、簡易容器用シート２の周縁に至らない互いに離間した第一切込線１１ａ及び第二切込線１１ｂが形成されている。このため、第一切込線１１ａ及び第二切込線１１ｂがコ字状になるように簡易容器用シート２を折り曲げた状態として、第一切込線１１ａ及び第二切込線１１ｂで挟まれた内側部２４が袋４の中に入るように袋４の開口４１を第一切込線１１ａ及び第二切込線１１ｂに挿入することができる。そして、袋４の開口４１を第一切込線１１ａ及び第二切込線１１ｂに挿入することで、自立した簡易容器１を作成することができる。このため、例えば、この簡易容器１を簡易トイレとして利用する場合に、自立しないものと比べて、排泄時の使用が容易になり、また、女性にとっても使用のためらいが緩和される。
【００７２】
また、袋４の開口４１を第一切込線１１ａ及び第二切込線１１ｂに挿入すると、簡易容器用シート２の第一外側部２５ａ及び第二外側部２５ｂが、袋４から飛び出した状態となるが、第一外側部２５ａ及び第二外側部２５ｂは、折り曲げることで袋４の開口４１に被せることができる。このため、例えば、この簡易容器１を簡易トイレとして利用する場合に、足が袋４の開口４１に触れることによる不快感を緩和することができる。
【００７３】
また、簡易容器１の使用が済めば、簡易容器用シート２からなる支持体３を袋の中に入れて袋を閉じることで、簡易容器１の内容物を袋に密封することができる。このため、例えば、簡易容器１の内容物が排泄物等の臭いのきついものであっても、臭いが漏れ出すのを抑制することができる。また、簡易容器１が簡易トイレである場合は、使用前又は使用後に凝固剤及び消臭剤を投入することで、尿等の水分を凝固させることができるとともに、臭いが漏れ出すのを更に抑制することができる。
【００７４】
しかも、少なくとも簡易容器用シート２と袋４があれば簡易容器１を作成することができる。そして、簡易容器用シート２は、折り畳むことができるとともに、折り畳んでも嵩張らない。このため、携帯性が極めて良い。
【００７５】
また、第一切込線１１ａ及び第二切込線１１ｂが互いに平行に形成されているため、第一切込線１１ａ及び第二切込線１１ｂがコ字状になるように簡易容器用シート２を折り曲げやすくなる。また、袋４の開口４１を第一切込線１１ａ及び第二切込線１１ｂに挿入した際に、簡易容器１の内側形状を矩形にすることができる。このため、第一切込線１１ａ及び第二切込線１１ｂが互いに平行に形成されていない場合に比べて、容易に組み立てることができるとともに、効率的に簡易容器１を使用することができる。
【００７６】
また、第一切込線１１ａ及び第二切込線１１ｂが矩形に形成された簡易容器用シート２の辺２１ａ，２１ｂと平行に形成されているため、簡易容器１を略直方体の箱型に形成することができる。これにより、簡易容器１の使い勝手を向上することができる。
【００７７】
また、簡易容器用シート２が第一底辺用折目線３３ａ及び第二底辺用折目線３３ｂで折り返されている場合は、簡易容器用シート２を開くことで、容易に、第一切込線１１ａ及び第二切込線１１ｂがコ字状になるように簡易容器用シート２を折り曲げた状態とすることができる。また、第一切込線１１ａ及び第二切込線１１ｂと第一底辺用折目線３３ａ及び第二底辺用折目線３３ｂとが直交していることで、簡易容器１を略直方体の箱型に形成することができる。
【００７８】
また、簡易容器用シート２が、折込用折目線３４で、第一底辺用折目線３３ａ及び第二底辺用折目線３３ｂとは逆に折り返されている場合は、簡易容器用シート２が蛇腹状に折り畳まれた状態となる。これにより、簡易容器用シート２が更に小さくなるため、携帯性が更に向上する。しかも、簡易容器用シート２を開くことで、容易に、第一切込線１１ａ及び第二切込線１１ｂをコ字状にすることができる。
【００７９】
また、簡易容器用シート２が、第一上辺用折目線３２ａ及び第二上辺用折目線３２ｂで、第一底辺用折目線３３ａ及び第二底辺用折目線３３ｂとは逆に折り返されている場合は、簡易容器１を作成する際に、袋４から飛び出す第一端部２３ａ及び第二端部２３ｂを、容易に袋４の開口４１に被せることができる。
【００８０】
また、第一切込線１１ａ及び第二切込線１１ｂの両端が第一上辺用折目線３２ａ及び第二上辺用折目線３２ｂ上に位置しているため、簡易容器１を作成する際に、袋４の開口４１を第一切込線１１ａ及び第二切込線１１ｂに挿入することで、袋４を、簡易容器１の上端又は上端付近まで上げることができる。これにより、簡易容器１の容量を向上できる。
【００８１】
また、第一切込線１１ａ及び第二切込線１１ｂのそれぞれが間欠的に切り込まれたミシン線である場合は、携帯する際に、第一切込線１１ａ及び第二切込線１１ｂを基点として簡易容器用シート２が破断するのを抑制することができる。なお、簡易容器１を作成する際は、第一切込線１１ａ及び第二切込線１１ｂに沿ってミシン目を破断することで、袋４の開口４１を第一切込線１１ａ及び第二切込線１１ｂに挿入することができる。
【００８２】
また、袋４の開口４１の周長が内側底面部２４ｃの周長の９０％以上１３０％以下の範囲、９５％以上１２５％以下の範囲、または１００％以上１２０％以下の範囲である場合は、袋４の開口４１を第一切込線１１ａ及び第二切込線１１ｂに挿入した際に、袋４の開口４１がダブつくのを抑制して、簡易容器１の形状保持性を向上させることができる。
【００８３】
以上、本発明の好適な実施形態について説明したが、本発明は上記実施形態に限定されるものではない。
【００８４】
簡易容器用シートは、罫線が無くても折り曲げる（折り返す）ことができるため、上述した各罫線は、必ずしも必要ではなく、何れか一部又は全部が無くてもよい。
【００８５】
例えば、図１５（ａ）に示す簡易容器用シート２Ａのように、罫線は全て形成されていなくてもよい。この場合、簡易容器用シート２Ａを折り曲げることで、上記の各折目線で折り返すことができる。
【００８６】
同様に、図１５（ｂ）に示す簡易容器用シート２Ｂのように、第一底辺用罫線１３ａ、第二底辺用罫線１３ｂ及び折込用罫線１４のみが形成されており、第一上辺用罫線１２ａ及び第二上辺用罫線１２ｂが形成されていなくてもよい。この場合、第一底辺用罫線１３ａ、第二底辺用罫線１３ｂ及び折込用罫線１４で折り曲げるとともに、第一上辺用罫線１２ａ及び第二上辺用罫線１２ｂに対応する位置で折り曲げることで、上記の各折目線で折り返すことができる。
【００８７】
同様に、図１５（ｃ）に示す簡易容器用シート２Ｃのように、第一底辺用罫線１３ａ、第二底辺用罫線１３ｂ、第一上辺用罫線１２ａ及び第二上辺用罫線１２ｂのみが形成されており、折込用罫線１４が形成されていなくてもよい。この場合、第一底辺用罫線１３ａ、第二底辺用罫線１３ｂ、第一上辺用罫線１２ａ及び第二上辺用罫線１２ｂで折り曲げるとともに、折込用罫線１４に対応する位置で折り曲げることで、上記の各折目線で折り返すことができる。
【００８８】
また、折畳状態の簡易容器用シートにおいて、上述した各折目線は、必ずしも必要ではなく、何れか一部又は全部が無くてもよい。この場合、簡易容器を作成する際に、例えば、第一底辺用罫線１３ａ、第二底辺用罫線１３ｂ、第一上辺用罫線１２ａ及び第二上辺用罫線１２ｂに対応する位置で折り曲げることで、支持体とすることができる。
【００８９】
また、簡易容器用シートの折畳用罫線又は折畳用折目線は、無くてもよく、２以上あってもよい。折畳用罫線又は折畳用折目線が２以上ある場合、各線の位置は、保管性、携帯性等に応じて適宜設定することができる。
【００９０】
また、一対の切込線の位置、長さ、向き等は、適宜変更することができる。例えば、図１６（ａ）に示す簡易容器用シート２Ｄのように、第一切込線１１ａ及び第二切込線１１ｂの両端は、第一上辺用罫線１２ａ（第一上辺用折目線３２ａ）及び第二上辺用罫線１２ｂ（第二上辺用折目線３２ｂ）上に位置しておらず、第一上辺用罫線１２ａ及び第二上辺用罫線１２ｂよりも内側に位置してもよい。同様に、図１６（ｃ）に示す簡易容器用シート２Ｆのように、第一切込線１１ａ及び第二切込線１１ｂは、互いに平行に形成されておらず、互いに交差する方向（傾斜する方向）に形成されていてもよい。
【００９１】
また、簡易容器用シートを形成するシート状部材は、必ずしも矩形である必要はなく、様々な形状とすることができる。例えば、図１６（ｂ）に示す簡易容器用シート２Ｅのように、対向する一対の辺が湾曲した形状であってもよく、図１６（ｃ）に示す簡易容器用シート２Ｆのように、台形であってもよい。
【００９２】
図１７〜図２０は、変形例の簡易容器用シート２Ｇを示している。図１７〜図２０に示す簡易容器用シート２Ｇは、基本的には上記の実施形態の簡易容器用シート２と同様であるが、第一上辺用罫線１２ａ及び第二上辺用罫線１２ｂがなく、また、展開された状態において、辺２２ａ、第一底辺用罫線１３ａ、第二底辺用罫線１３ｂ、折込用罫線１４及び辺２２ｂが等間隔である点のみ、上記の実施形態の簡易容器用シート２と相違する。なお、簡易容器用シート２Ｇでは、第一上辺用罫線１２ａ及び第二上辺用罫線１２ｂがないため、第一端部２３ａは、第一切込線１１ａ及び第二切込線１１ｂの辺２２ａ側の先端から辺２２ａまでの部分となり、第二端部２３ｂは、第一切込線１１ａ及び第二切込線１１ｂの辺２２ｂ側の先端から辺２２ｂまでの部分となる。
【００９３】
図１７に示す展開状態の簡易容器用シート２Ｇは、第一底辺用罫線１３ａ及び第二底辺用罫線１３ｂで谷折りに折り曲げて第一底辺用折目線３３ａ及び第二底辺用折目線３３ｂとし、折込用罫線１４で山折りに折り曲げて折込用折目線３４とすることで、図１８に示す折畳状態となり、更に、折畳用罫線１５で折り曲げることで、図１９に示す折畳状態となる。そして、辺２２ａ、第一底辺用罫線１３ａ、折込用罫線１４、第二底辺用罫線１３ｂ及び辺２２ｂが等間隔であるため、紙折り機等の機械によっても、容易に、図１７に示す展開状態の簡易容器用シート２Ｇを折り畳んで図１８に示す折畳状態にすることができる。このため、図１７に示す展開状態の簡易容器用シート２Ｇを図１８に示す折畳状態にするための製造コストを低減することができる。
【００９４】
図１８又は図１９に示す折畳状態の簡易容器用シート２Ｇを広げると、図２０に示す状態となる。図２０に示す状態の簡易容器用シート２Ｇは、簡易容器１の支持体３Ｇとなる。図２０に示す状態の簡易容器用シート２Ｇでは、二つ折りにされていた内側底面部２４ｃが開かれて略平面状となっており、第一内側側面部２４ａ及び第二内側側面部２４ｂが内側底面部２４ｃから略直角に立ち上がっている。そして、第一端部２３ａ及び第二端部２３ｂは、第一内側側面部２４ａ及び第二内側側面部２４ｂに対して折り曲げられておらず、第一内側側面部２４ａ及び第二内側側面部２４ｂの立ち上がり方向に延びている。但し、簡易容器用シート２Ｇにおいても、第一端部２３ａ及び第二端部２３ｂは、上記の実施形態と同様に、第一内側側面部２４ａ及び第二内側側面部２４ｂに対して折り曲げられてもよい。
【００９５】
このように、簡易容器用シート２Ｇにおいても、周縁に至らない互いに離間した第一切込線１１ａ及び第二切込線１１ｂが形成されているため、上記の実施形態と同様に、自立した簡易容器１を作成することができる。
【符号の説明】
【００９６】
１…簡易容器、２，２Ａ，２Ｂ，２Ｃ，２Ｄ，２Ｅ，２Ｆ，２Ｇ…簡易容器用シート、３，３Ｇ…支持体、４…袋、１１ａ…第一切込線、１１ｂ…第二切込線、１２ａ…第一上辺用罫線、１２ｂ…第二上辺用罫線、１３ａ…第一底辺用罫線、１３ｂ…第二底辺用罫線、１４…折込用罫線、１５…折畳用罫線、２１ａ，２１ｂ，２２ａ，２２ｂ…辺、２３ａ…第一端部、２３ｂ…第二端部、２４…内側部、２４ａ…第一内側側面部、２４ｂ…第二内側側面部、２４ｃ…内側底面部、２５ａ…第一外側部、２５ｂ…第二外側部、３２ａ…第一上辺用折目線、３２ｂ…第二上辺用折目線、３３ａ…第一底辺用折目線、３３ｂ…第二底辺用折目線、３４…折込用折目線、３５…折畳用折目線、４１…開口、ＸＣ…中心線、ＹＣ…中心線。
【図１】
2020138800.tif 000003
【図２】
2020138800.tif 000004
【図３】
2020138800.tif 000005
【図４】
2020138800.tif 000006
【図５】
2020138800.tif 000007
【図６】
2020138800.tif 000008
【図７】
2020138800.tif 000009
【図８】
2020138800.tif 000010
【図９】
2020138800.tif 000011
【図１０】
2020138800.tif 000012
【図１１】
2020138800.tif 000013
【図１２】
2020138800.tif 000014
【図１３】
2020138800.tif 000015
【図１４】
2020138800.tif 000016
【図１５】
2020138800.tif 000017
【図１６】
2020138800.tif 000018
【図１７】
2020138800.tif 000019
【図１８】
2020138800.tif 000020
【図１９】
2020138800.tif 000021
【図２０】
2020138800.tif 000022